(57)【要約】【課題】取り付け及び取り外しが容易で、再利用可能にする。【解決手段】樹脂加工板を家屋及び建物の段差部に沿うように成形加工し、段差部の上面を保護する上面保護部１ｈの一端から延在し段差部の側面を保護する側面保護部１ｋの一方の面に第１の面ファスナー２を配置し、側面保護部１ｋの他方の面に第２の面ファスナー３を配置する。複数の段差用養生材１が積み重ねられるとき、重ね合わされた一方の段差用養生材１の第１の面ファスナー２と他方の段差用養生材１の第２の面ファスナー３とが相互に結合することにより、重ね合わされた段差用養生材１のずれ及び崩れを防止するので、一度に多数の段差用養生材１を積層して運搬することができる。よって、養生材の取り付け及び取り外しが容易になる。強度及び耐久性に優れた樹脂加工板の採用により段差用養生材１を反復使用できるので、養生材が安価になる。【選択図】        図１
2004211333.tif 000002
【特許請求の範囲】
【請求項１】
家屋及び建物の段差部を養生する段差用養生材において、
個々の養生材は、
樹脂加工板から前記段差部に沿うように成形加工され、当該段差部の上面を保護する上面保護部と、
前記上面保護部の一端から延在し前記段差部の側面を保護する側面保護部とからなり、
前記側面保護部の一方の面に第１の面ファスナーが配され、
前記側面保護部の他方の面に第２の面ファスナーが配され、
当該養生材を複数重ね合わせたとき、一方の前記養生材の第１の面ファスナーと他方の前記養生材の第２の面ファスナーとが相互に結合するような位置に取り付けられたことを特徴とする段差用養生材。
【請求項２】
前記上面保護部と前記側面保護部とにより前記段差部側に形成される内角が９０°未満である
ことを特徴とする請求項１に記載の段差用養生材。
【請求項３】
前記第１の面ファスナー及び第２の面ファスナーは、
前記上面保護部近傍に配置され、
前記側面保護部の一方の端部から他方の端部に達する矩形状を有する
ことを特徴とする請求項１又は２に記載の段差用養生材。
【請求項４】
前記第１の面ファスナー及び第２の面ファスナーは、
前記上面保護部近傍に配置され、
前記側面保護部の一方の端部と他方の端部とに分離配置された複数の矩形状の面ファスナーで構成される
ことを特徴とする請求項１又は２に記載の段差用養生材。
【請求項５】
前記第１の面ファスナー及び第２の面ファスナーは、
前記上面保護部近傍に配置され、
前記側面保護部の一方の端部と他方の端部とに分離配置された複数の矩形状の面ファスナーと、
前記複数の矩形状の面ファスナーの間に配置された少なくとも１つ以上の矩形状の面ファスナーとで構成される
ことを特徴とする請求項１又は２に記載の段差用養生材。
【請求項６】
前記樹脂加工板は、
ダンボール構造となされると共に、
炭化水素化合物の重合体を主成分とする樹脂からなる
ことを特徴とする請求項１乃至５のいずれか１項に記載の段差用養生材。
【発明の詳細な説明】
【０００１】
【発明の属する技術分野】
この発明は、家屋及び建物の屋内階段等の段差部の保護材として使用して好適な段差用養生材に関するものである。
【０００２】
【従来の技術】
従来、一般住居用家屋及び商業用施設等の建築及び改築作業においては、建築用工具等により屋内床材が破損したり傷つけられたりすることを防ぐために、屋内の段差部を含む床材を養生材により保護してから作業を行う。このような屋内床材を保護するための養生材としては、ベニア板又はダンボール紙等が一般に使用されている。
【０００３】
ベニア板又はダンボール紙等により屋内床材を養生する場合、先ず、養生しなければならない範囲の床材上を、エンボス加工された紙等からなるマスキングシートで覆う。次に、このマスキングシート上に、適切な形状に成形加工されたベニア板又はダンボール紙を敷き詰める。最後に、これらのベニア板又はダンボール紙がマスキングシート上から不用意にずれてしまわないように、ベニア板又はダンボール紙及びマスキングシートを、マスキングシートから露出している部分の床材上に粘着テープで固定する（例えば、非特許文献１参照。）。
【０００４】
【非特許文献１】
”知って得する養生（ようじょう）の話”、［ｏｎｌｉｎｅ］、「平成１４年１２月４日検索」、インターネット＜ＵＲＬ：ｈｔｔｐ：／／ｗｗｗ．ｍｆ２１．ｃｏ．ｊｐ／ｗｙｏｊｏ／ｙｏｕｊｏｕ．ｈｔｍ＞
【０００５】
【発明が解決しようとする課題】
ところで、従来方式の養生材によれば、以下のような問題点がある。
▲１▼  ベニア板及びダンボール紙は専用材ではないため、これらを養生材として使用する場合、ベニア板又はダンボール紙を養生する場所に合わせて切断して成形しなければならない。ベニア板及びダンボール紙を切断すると多量の切屑が発生するため、切断時間の他に切屑清掃時間も必要である。従って、養生材準備における作業効率が悪い。
▲２▼  ベニア板を養生材として使用する場合、材料そのものが堅いため、マスキングシートが破れて床材に擦り傷が付くおそれがある。
▲３▼  ベニア板を再利用するとしても数回が限度である。再利用回数が少ないことが養生材単価を吊り上げている。
【０００６】
▲４▼  ベニア板は、環境汚染物質であるホルムアルデヒド（ＨＣＨＯ）を含有しているので、養生材として屋内床材上に敷き詰められたベニア板からホルムアルデヒドが拡散し、ホルムアルデヒドを含有しない屋内壁等に付着することが知られている。このため、養生材を撤去した後においても、環境汚染物質であるホルムアルデヒドが屋内に残留する可能性がある。この点からしても、ベニア板を屋内で養生材として使用することは好ましくない。
【０００７】
▲５▼  ダンボール紙を養生材として使用する場合、材料そのものが耐久性に欠けるため、このダンボール紙をマスキングシート上に固定する際に使用した粘着テープを剥がすとき、ダンボール紙も破れてしまうことが多い。このため、一度しか養生材として使用することができない場合が多く、養生材が必要になる度にダンボール紙を加工して準備し、使用後には廃棄しなければならなかった。このようにダンボール紙を使用する場合には、作業効率が悪いばかりではなく、廃却費を含む養生材単価が高価なものになる。
【０００８】
そこで、この発明は上述した課題を解決したものであって、少なくとも取り付け及び取り外しが容易で、再利用可能な段差用養生材を提供することを目的とする。
【０００９】
【課題を解決するための手段】
上記問題を解決するために、本発明に係る段差用養生材は、家屋及び建物の段差部を養生する段差用養生材において、個々の養生材は、樹脂加工板から段差部に沿うように成形加工され、当該段差部の上面を保護する上面保護部と、この上面保護部の一端から延在し段差部の側面を保護する側面保護部とからなり、この側面保護部の一方の面に第１の面ファスナーが配され、この側面保護部の他方の面に第２の面ファスナーが配され、当該養生材を複数重ね合わせたとき、一方の養生材の第１の面ファスナーと他方の養生材の第２の面ファスナーとが相互に結合するような位置に取り付けられたことを特徴とするものである。
【００１０】
本発明に係る段差用養生材は、家屋及び建物の段差部を養生する際に、この段差部の上面を保護する上面保護部と、この上面保護部の一端から延在し段差部の側面を保護する側面保護部とを備える。養生材は養生すべき段差部に沿うように、断面がほぼ「フ」の字状に成形加工される。側面保護部の前面の所定位置には第１の面ファスナーが配置され、側面保護部の背面の所定位置には第２の面ファスナーが配置される。これらの面ファスナーによって、複数の養生材が重ね合わされたとき、下側に置かれた養生材の第１の面ファスナーと、上側に置かれた養生材の第２の面ファスナーとが密着結合する。
【００１１】
これによって、複数の段差用養生材が積み重ねられるとき、重ね合わされた養生材が互いにずれたり、崩れたりすることを防止することができるので、一度に多数の段差用養生材を積み重ねて運搬したり、狭い場所に積み重ねて収納したりすることができる。従って、養生材の施行、及び、撤去が容易になると共に、保管の占有部分が少なくなり保管費用等を抑制することができる。
【００１２】
養生材としてダンボール構造の樹脂加工板を使用する場合には、薄く軽量であっても優れた強度と緩衝性とを備えているので、段差部を構成する屋内床材を重量物の落下等から充分に保護できる養生材を提供することができる。また、ダンボール構造の樹脂加工板は粘着テープに対する耐久性が高いので、ダンボール構造の樹脂加工板から加工された養生材は反復使用できる。従って、養生材を廉価に提供できる。
【００１３】
【発明の実施の形態】
以下、図面を参照しながら、この発明の実施形態に係る段差用養生材について説明する。
図１は本発明の実施形態としての段差用養生材の一例を示す模式的斜視図である。
この実施形態の段差用養生材では、一般建売住宅の屋内階段において、踊場を含む各段を養生するために、この屋内階段の各段の上面（踏板）を保護する上面保護部と、この上面保護部の一端から延在し屋内階段の各段の側面（蹴込）を保護する側面保護部とを備える。その断面形状は、図示するように、屋内階段の各段に沿うように、ほぼ「フ」の字状をなす。養生材は樹脂加工板、特にダンボール構造の樹脂加工板から成形加工することができる。養生材の側面保護部の外側露出面（前面）に第１の面ファスナーを配置し、側面保護部の階段側の面（背面）に第２の面ファスナーを配置してある。第１の面ファスナーは、複数の養生材を重ね合わせたとき、上側に置かれる養生材に設けられた第２の面ファスナーと対峠して密着結合するような位置に設けられる。
【００１４】
この構成によって、一方の養生材の第１の面ファスナーと他方の養生材の第２の面ファスナーとが結合することにより養生材のずれを防止することができる。従って、多数の養生材を積み重ねて運搬及び保管することができる。更にこの養生材によれば、薄く軽量であっても重量物の落下等から屋内階段の床材を保護することができる強度及び緩衝性が備わっており、且つ、粘着テープに対する耐久性に優れているので、反復使用できる特徴を有する。
【００１５】
このようなことから、この段差用養生材は、家屋及び建物の屋内階段等の段差部の保護材として使用して好適である。
【００１６】
更に詳細に説明すると、本実施形態の段差用養生材１は、図１に示すように、この例ではダンボール構造をなす樹脂加工板が屋内階段の各段の段差部に沿う形状に折曲加工された上面保護部１ｈと側面保護部１ｋとからなる。折曲加工するに当たっては、屋内階段各段の側面である蹴込と各段の上面である踏板とを隙間無く覆う形状に切り揃えられ成形されている。また、蹴込を覆う部分である側面保護部１ｋの前面には第１の面ファスナー２が配置されており、この第１の面ファスナー２と相互に付着する第２の面ファスナー３が、側面保護部１ｋの背面に配置されている。
【００１７】
第１の面ファスナー２は、施工者の階段通行の邪魔にならない位置、例えば図１に示すように、上面保護部１ｈに近接した位置に取着固定される。従って、第２の面ファスナー３も、第１の面ファスナー２と対峠する位置に取着固定される。第１の面ファスナー２及び第２の面ファスナー３として、図１の実施の形態では、段差用養生材１と同一幅をなす帯状体の面ファスナーを使用した場合を示す。
【００１８】
第１の面ファスナー２及び第２の面ファスナー３は、対をなして相互に結合する一組の凸型及び凹型の面ファスナーで構成される。凸型面ファスナー又は凹型面ファスナーのいずれが第１の面ファスナー２又は第２の面ファスナー３として配置されても良い。これらの第１及び第２の面ファスナー２，３は、複数の段差用養生材１が積み重ねられたとき、重ね合わされた一方の段差用養生材１の第１の面ファスナー２と他方の段差用養生材１の第２の面ファスナー３とが相互に結合することによって、積み重ねられた段差用養生材１が互いにずれたり、崩れたりすることを防止する。
【００１９】
家屋及び建物で使用される屋内階段は、建築規格により定められた形状のものが採用される。建築基準法によれば、屋内階段の踏板の奥行き（踏面）は１５ｃｍ以上、屋内階段の高さ（蹴上）は２３ｃｍ以下に規定されているが、建売住宅及び分譲マンション等では、踏面が２４ｃｍ以上、蹴上が２０ｃｍ以下に規格化された階段が使用されることが多く、曲り階段又は折り返し階段等の階段の種類により踊場の形状も略規格化されている。従って、このような規格値に基づいてダンボール構造の樹脂加工板を予め成形加工しておくことによって、屋内階段の踏板及び蹴込を段差に沿って隙間無く覆い保護する段差用養生材１を、養生材が必要になる以前に準備しておくことができる。
【００２０】
例えば、一般住居用の家屋に採用される屋内階段を養生する場合、図１に示すように、段差用養生材１は、踏板奥行方向の長さｄが２００ｍｍ、踏板幅方向の長さｗが８００ｍｍ乃至８５０ｍｍ及び蹴上方向の高さｈが１９０ｍｍ乃至２００ｍｍになるように切断され、屋内階段の各段の踏板を保護する上面保護部１ｈと蹴込を保護する側面保護部１ｋとにより階段側に形成される内角αが９０°未満になるように折曲加工される。
【００２１】
内角αを９０°未満にしたのは、できるだけ側面保護部１ｋを蹴込部に密着させて安定させるようにするためである。また、上面保護部１ｈと側面保護部１ｋとがなす角αは、９０°前後であれば特に問題はないが、９０°より大きい鈍角では、歩行面積が狭くなるので危険である。従って、段差用養生材１の上面保護部１ｈと側面保護部１ｋとにより形成される内角αは９０°未満であって、蹴込により制限される限界鋭角であることが望ましい。
【００２２】
段差用養生材１に配置される第１及び第２の面ファスナー２，３は、上述したように、屋内階段の蹴込を保護する側面保護部１ｋの上部側に配置されることが望ましい。側面保護部１ｋの下部側に第１及び第２の面ファスナー２，３を配置した場合、これらの第１及び第２の面ファスナー２，３と上面保護部１ｈとの間隔が開き過ぎるため、多数の段差用養生材１を積み重ねたとき、重ね合わされた段差用養生材１の上面保護部１ｈでのずれを、これらの第１及び第２の面ファスナー２，３では支えきれなくなる可能性があるからである。従って、段差用養生材１に配置される第１及び第２の面ファスナー２，３は、側面保護部１ｋの上部側の上面保護部１ｈに近接する部分に配置されることが好適である。
【００２３】
これらの第１及び第２の面ファスナー２，３は、図２（ａ）に示すように、側面保護部１ｋの上部側の上面保護部１ｈに近接する部分に配置され、側面保護部１ｋの一端１ｄから他端１ｅに達する矩形状（帯状体）であるとき、多数の段差用養生材１が積み重ねられる場合であっても、重ね合わされた段差用養生材１が互いにずれたり、崩れたりすることを充分に防止することができる。
【００２４】
第１及び第２の面ファスナー２，３は、図２（ｂ）に示すように、側面保護部１ｋの上部側の上面保護部１ｈに近接する部分に、側面保護部１ｋの一方の端部１ｄと他方の端部１ｅとの２ヶ所に分離配置された矩形状の面ファスナーであっても良い。また、図２（ｃ）に示すように、図２（ｂ）に示したように配置された第１及び第２の面ファスナー２，３の間の更に１ヶ所以上に矩形状の面ファスナーを設けることもできる。
【００２５】
第１及び第２の面ファスナー２，３の配置面積が小さいほど、積層された段差用養生材１に対するずれ防止機能は低下するが、段差用養生材１は薄く軽量であるため、図２（ｂ）に示したように、２ヶ所に分けて配置された小面積の長方形状の面ファスナーであっても、積層された複数の段差用養生材１に対して充分なずれ防止能力を有することができる。
【００２６】
屋内階段の養生では、特に曲り階段等の踊場の様に、他段とは異なる形状の養生材が必要になる場合がある。このような場合においても、段差用養生材１の材料であるダンボール構造の樹脂加工板は、カッター等の簡便な道具で容易に切断することができるので、作業現場で即座に適切な形状に再加工することができる。従って、踊場用の段差用養生材１は、踏板奥行方向の長さｄが４００ｍｍ程度になるように予め成形しておき、作業現場で適切な形状に切り揃えて再加工しても良い。
【００２７】
段差用養生材１の厚さｔは、２．５ｍｍ乃至３．５ｍｍであることが望ましい。厚さｔが２．５ｍｍ未満の場合、重量物運搬時及び鋭利な部分を有する工具使用時等に破損してしまう可能性があり、屋内階段等の床材を充分に保護することができる強度及び緩衝性を備えていないためである。また、耐久性も充分ではないため、複数回に亘る反復使用は難しい。一方、厚さｔが３．５ｍｍより厚い場合、カッター等の簡便な道具による切断が容易ではなくなるため、再加工の必要があるとき、作業効率が低下する。従って、段差用養生材１の厚さｔとしては、２．５ｍｍ乃至３．５ｍｍの範囲が好適であり、平均厚さが３ｍｍ程度であることが望ましい。
【００２８】
次に、本実施形態に係る段差用養生材の施行例について説明する。図３は段差用養生材の屋内階段への適用例を示す模式的断面図である。
本実施形態の段差用養生材１を屋内階段４の養生に使用する場合、図３に示すように、先ず、養生する屋内階段５の踏板４ａ及び蹴込４ｂを全段に亘りマスキングシート５で覆う。このマスキングシート５は、厚紙の表面に凹凸の型押（エンボス）加工を施し、ポリエチレン（ＰＥ）シートと積層して接着（ラミネート）したものが、緩衝性及び耐久性に優れているので好ましい。
【００２９】
このようなマスキングシート５により踏板４ａ及び蹴込４ｂを全段に亘り覆われた屋内階段４上に、この屋内階段４の踊場を含む各段の規格形状に基づいて、予め両面ダンボール構造の樹脂加工板から成形加工された１４枚の段差用養生材１を隙間無く並べて載置する。
【００３０】
マスキングシート５上に並べられた段差用養生材１がマスキングシート５上から不用意にずれてしまわないように、これらの段差用養生材１の一部分を、図４に示すように、露出した壁面７又は屋内階段４の露出した側面等に粘着テープ６により固定する。また、段差用養生材１の夫々を、同様に、粘着テープ６で相互に固定する。これによって、屋内階段４の床材を完全に保護することができる。
【００３１】
本実施形態の段差用養生材１は、養生する屋内階段４の規格形状に基づいて屋内階段４の床材を隙間無く覆うように予め成形加工されているので、マスキングシート５上で不用意にずれる可能性は低い。また、マスキングシート５上からずれた場合においても、樹脂加工板が屋内階段４を構成するフローリング等の屋内床材を傷つける可能性は極めて低い。更にまた、ダンボール構造の樹脂加工板は、表面形状が平坦かつ滑らかで粘着テープ６の接着性が良いので、複数の段差用養生材１を小面積の粘着テープ６により相互に接着固定することが容易である。
【００３２】
従って、小面積の粘着テープ６により段差用養生材１を相互に固定した後、相互に固定された段差用養生材１が重量物運搬等の際に引き摺られてずれたりしないように、この段差用養生材１の安全上問題にならない場所から壁面７等に亘り更に小面積の粘着テープ６を貼り付けて固定することによって、段差用養生材１の取り付けを完了する。
【００３３】
建売住宅用の屋内階段の段数は１４段が一般的なので、これらの１４枚の段差用養生材１の全部又はその一部が、図５に示すように、積み重ねられた状態で倉庫等に保管される。そして、養生材の施行時に、この複数枚積み重ねられた状態のままで貨物トラック等に積載されて作業現場まで運搬され、この状態のままで作業者により屋内階段４まで運搬される。
【００３４】
このように１４枚の段差用養生材１の全部又はその一部を積み重ねて運搬するとき、積層されて重ね合わされた一方の段差用養生材１の第１の面ファスナー２と他方の段差用養生材１の第２の面ファスナー３とが相互に結合することにより、重ね合わされた段差用養生材１が、運搬時の衝撃等で互いにずれることを防止する。このため、倉庫等の保管場所及び養生材の施行現場において、段差用養生材１を貨物トラック等に積載又は荷降ろしするとき、一度に多数の段差用養生材１を積み重ねて効率良く作業をすることができるので、取り付け及び撤去作業が容易になり、これらの作業時間が短縮する。また、倉庫及び貨物トラックでの占有面積を削減できるので、保管費用及び輸送費用を抑制できる。
【００３５】
側面保護部１ｋの前面に配置された第１の面ファスナー２は、例えば凸型面ファスナーであり、背面に配置された第２の面ファスナー３は、第１の面ファスナー２として配置された凸型面ファスナーと相互に結合する凹型面ファスナーである。第１及び第２の面ファスナー２，３は、蹴込を覆う側面保護部１ｋの上部側に配置されているので、歩行の邪魔になることはない。
【００３６】
内装施行が終了すると、屋内階段４を養生する必要がなくなるので、段差用養生材１は撤去される。本実施形態の段差用養生材１は、表面が滑らかで粘着テープ６を簡単に剥がすことができるため取り外しが容易である。また、この段差用養生材１は、粘着テープ６の繰り返し使用に対する耐久性が高く、粘着テープ６の剥離により破損することが少ない。従って、同じ規格形状の屋内階段４の養生に繰り返し使用することができる。
【００３７】
使用後の段差用養生材１は、図５に示すように、複数枚を積み重ねて収納する場合であっても、重ね合わされた一方の養生材の第１の面ファスナー２と他方の養生材の第２の面ファスナー３とが相互に結合することによって、積み重ねられた複数の段差用養生材１が崩れたり倒れたりすることを防止するので、次回使用時まで倉庫等の狭い空間内に多数の段差用養生材１を積み重ねて保管しても安全である。従って、屋内階段４を養生するために必要な１４枚で一組の段差用養生材１を狭い場所に積み重ねて収納することができるので、段差用養生材１の保管費用も安価になる。
【００３８】
ところで、上述した段差用養生材１の材料は、炭化水素化合物の重合体を主成分とする樹脂から構成されたダンボール構造の樹脂加工板が好適である。この炭化水素化合物の重合体を主成分とする樹脂としては、ホルムアルデヒド等の環境汚染物質を含有せず、燃焼時にもダイオキシン等の有害物質を放出しないポリプロピレン（ＰＰ）及びポリエチレンテレフタレート（ＰＥＴ）等を使用することができる。
【００３９】
炭化水素化合物の重合体に不純物を混入して着色することは、予期せずに環境汚染物質を生成してしまう可能性があるので、炭化水素化合物の重合体を天然色のまま段差用養生材１の材料として使用する。多くの炭化水素化合物の重合体は、ＰＰ又はＰＥＴのように、白色又は無色透明である。
【００４０】
本実施形態に係る第１のダンボール構造の樹脂加工板１０１は、上述したような炭化水素化合物の重合体を主成分とする樹脂から構成され、図６（ａ）の断面図に示すように、炭化水素化合物の重合体を主成分とする樹脂から成形された波形の中芯１０１ａと、この中芯１０１ａと同じ組成を有し、中芯１０１ａの片面にライナーとして貼られた樹脂薄板１０１ｂとで構成される片面ダンボール構造の樹脂加工板である。
【００４１】
第２のダンボール構造の樹脂加工板１０２は、図６（ｂ）に示すように、波形に成形された炭化水素化合物の重合体を主成分とする樹脂からなる中芯１０２ａの両面に、この中芯１０２ａと同じ組成を有する樹脂薄板１０２ｂをライナーとして貼り付けた両面ダンボール構造の樹脂加工板である。この両面ダンボール構造の樹脂加工板１０２では中芯１０２ａが波形を留めていないため、樹脂薄板１０２ｂと略等しい厚さを有する多数の板状に変形した中芯１０２ａが、２枚の平行な樹脂薄板１０２ｂの対向面に略垂直に等間隔で配置された構造になっている。
【００４２】
第３のダンボール構造の樹脂加工板１０３は、上述した両面ダンボール構造の樹脂加工板１０２の一方のライナーの外表面に、図６（ｃ）に示すように、波形に成形された中芯１０３ａを接着し、この中芯１０３ａに更に樹脂薄板１０３ｂをライナーとして貼り付けた複両面ダンボール構造の樹脂加工板である。この複両面ダンボール構造の樹脂加工板１０３においても、両面ダンボール構造の樹脂加工板１０２と同様に、２枚の中芯１０２ａ，１０３ａは波形を保持していない。よって、複両面ダンボール構造の樹脂加工板１０３も、両面ダンボール構造の樹脂加工板１０２と同様に、等間隔で平行に配置された３枚の樹脂薄板１０２ｂ，１０３ｂの夫々の対向面に、樹脂薄板１０２ｂ，１０３ｂと略等しい厚さを有する多数の板状に変形した中芯１０２ａ，１０３ａが、樹脂薄板１０２ｂ，１０３ｂと略垂直に等間隔で配置された構造となる。
【００４３】
第４のダンボール構造の樹脂加工板１０４は、図６（ｄ）に示すように、２枚の片面ダンボール構造の樹脂加工板１０１を、夫々のライナーである樹脂薄板１０１ｂが相互に平行になるように、夫々の中芯１０１ａを接着することにより得られる他の両面ダンボール構造の樹脂加工板である。
【００４４】
これらの片面ダンボール構造、両面ダンボール構造又は複両面ダンボール構造のようなダンボール構造を備えた樹脂加工板１０１，１０２，１０３，１０４は、内部に多数の空隙を有するため、ベニア板のような木材及び緻密に充填された樹脂加工板と比較して軽量でありながら優れた緩衝性を備えている。また、これらのダンボール構造の樹脂加工板１０１，１０２，１０３，１０４は、炭化水素化合物の重合体を主成分とする樹脂から構成されるため、強度及び耐久性に優れている。従って、薄く軽量で運搬し易く、重量物の落下及び鋭利な部分を有する工具による切削等から屋内階段等の床材を保護し、粘着テープの繰り返し使用に耐えて反復使用できる段差用養生材を提供することができる。
【００４５】
ダンボール構造の樹脂加工板１０１，１０２，１０３，１０４において、両面ダンボール構造の樹脂加工板１０２及び複両面ダンボール構造の樹脂加工板１０３は、強度及び耐久性に特に優れ、表面形状が平坦かつ滑らかで粘着テープの繰り返し使用に適しているため、本発明に係る段差用養生材の材料として極めて好適である。片面ダンボール構造の樹脂加工板１０１から段差用養生材を成形加工する場合、養生材の外側露出面は平坦かつ滑らかであることが望ましいので、樹脂薄板１０１ｂが外側露出面になるように折曲加工する。
【００４６】
両面ダンボール構造の樹脂加工板１０２及び複両面ダンボール構造の樹脂加工板１０３の厚さｔは、図７（ａ）及び（ｂ）に示すように、２枚の樹脂薄板１０２ｂの外表面間隔又は２枚の樹脂薄板１０２ｂ，１０３ｂの外表面間隔で表される。この樹脂加工板の厚さｔは段差用養生材１の厚さｔであるから、上述したように、厚さｔは２．５ｍｍ乃至３．５ｍｍであることが望ましい。
【００４７】
樹脂加工板１０２，１０３の強度及び耐久性は、これらの樹脂加工板１０２，１０３の面密度を調整することにより向上させることができる。即ち、樹脂加工板１０２，１０３の厚さｔを固定し、樹脂加工板１０２，１０３を構成する樹脂薄板１０２ｂ，１０３ｂ及び中芯１０２ａ，１０３ａの厚さを変更することによって、樹脂加工板１０２，１０３の面密度を調整することができるので、これにより樹脂加工板１０２，１０３の重量と強度とを望ましい範囲に調整することができる。
【００４８】
厚さｔが段差用養生材１の材料として好適な２．５ｍｍ乃至３．５ｍｍの範囲である樹脂加工板１０２，１０３において、例えば、面密度が４００ｇ／ｍ２乃至５００ｇ／ｍ２の範囲では養生材としての強度及び耐久性が不充分なので、面密度の観点から段差用養生材１の材料として適していない。厚さｔが２．５ｍｍ乃至３．５ｍｍの樹脂加工板１０２，１０３では、中芯１０２ａ，１０３ａ及び樹脂薄板１０２ｂ，１０３ｂの厚さを調整することによって、面密度を８００ｇ／ｍ２乃至１３００ｇ／ｍ２にすることが望ましい。特に、平均厚さが３ｍｍ程度で、面密度が９００ｇ／ｍ２乃至１２００ｇ／ｍ２である場合、段差用養生材１として充分な強度及び耐久性と、薄く軽量でも緩衝性に優れる性質とを兼ね備えることができるので、極めて好適である。
【００４９】
ダンボール構造の樹脂加工板１０１，１０２，１０３，１０４の折曲加工は、ＰＰ及びＰＥＴ等の炭化水素化合物の重合体を主成分とする樹脂が変形する温度、例えば１７０℃以上の温度に加熱した金属薄板（熱刃）等を樹脂加工板１０１，１０２，１０３，１０４に押し付けながら、金属薄板が押し付けられた面の裏面側から金属薄板方向への押圧力を樹脂加工板１０１，１０２，１０３，１０４の両端に印加することによって、この樹脂加工板１０１，１０２，１０３，１０４を金属薄板を支点にして折り曲げる。
【００５０】
このように折曲加工した後、折曲加工された樹脂加工板１０１，１０２，１０３，１０４をカッター等で切り揃えることによって、踊場のような他段と異なる形状の段差を含めて、屋内階段の各段を隙間無く覆う形状に、段差用養生材１を容易に成形することができる。
【００５１】
なお、樹脂加工板１０１，１０２，１０３，１０４をカッター等で切断するとき及び加熱した金属薄板を支点にして折曲加工するとき、樹脂加工板１０１，１０２，１０３，１０４からは、切屑及び灰等が発生しない。従って、切断及び折曲加工後に清掃する必要がない。
【００５２】
このように、本発明に係る実施形態としての段差用養生材によれば、
▲１▼  段差部を養生するための専用材として成形されているため、段差に合わせて加工する必要がない。また、踊場等のように他段とは形状が異なる場所を養生するために再加工の必要が生じた場合においても、切断が容易で切屑が発生しないので、加工時間をほとんど必要とせずに取り付け作業を開始することができる。
▲２▼  樹脂加工板を使用しているため、段差用養生材が軽量となり、マスキングシートを破損して床材に擦り傷を付ける恐れがない。
▲３▼  耐久性が高いため、粘着テープを繰り返し使用することができる。従って、養生材として反復使用できるので、結果的に養生材が廉価となる。
▲４▼  ホルムアルデヒド等の環境汚染物質を含有しないので、養生中に環境汚染物質を放出しない。もちろん、養生後の屋内に環境汚染物質が残留することもない。
▲５▼  粘着テープを簡単に剥離することができるので、取り外しが容易である。従って、撤去作業の効率が向上する。
▲６▼  反復使用後に最終的に廃棄する場合においても、塩素（Ｃｌ）を含有していないため、燃焼時にダイオキシンのような有害物質を放出しない。従って、一般焼却廃棄物として処分することができるので、廃却費用を削減することができる。
▲７▼  複数枚積み重ねて運搬又は収納してもずれないので、一度に多数枚運搬したり、狭い場所に安全に積み重ねて保管したりすることができる。従って、施行及び撤去が容易になると共に、運搬及び保管費用も安価になる。
【００５３】
本発明に係る段差用養生材は、この使用場所を特に限定されるものではなく、上述した屋内階段だけではなく上框及び床框等のような屋内に存在するあらゆる種類の段差部並びにベランダ（テラス）及び縁側等の屋外段差部での使用にも適している。また、その使用状況も特に限定されるものではなく、建築、改築及び引越等の重量物及び工具類を扱う作業現場での使用に限定されず、鳥獣類等による段差部を含む床材の破損防止に適用することも可能である。
【００５４】
【発明の効果】
以上説明したように、本発明に係る段差用養生材によれば、屋内段差部の上面及び側面を段差部に沿って保護する形状に樹脂加工板から成形加工された上面保護部と側面保護部とを有し、側面保護部の一方の面に配置された第１の面ファスナーと、側面保護部の他方の面に配置された第２の面ファスナーとを備えるものである。
【００５５】
この構成によって、段差部に対する施行が簡単となり、施行時間の短縮を図れる上、複数の養生材が積み重ねられるとき、重ね合わされた一方の養生材の第１の面ファスナーと他方の養生材の第２の面ファスナーとが相互に結合し、重ね合わされた養生材のずれ及び崩れを防止するため、多数の養生材を積み重ねた状態で運搬及び保管できる。従って、養生材の運搬効率を向上し、保管面積を抑制することができるので、養生材の取り付け及び撤去作業が容易になると共に保管費用も安価にすることができる。
【００５６】
樹脂加工板を使用する関係で、薄く軽量であっても優れた強度及び緩衝性を備えるため、重量物及び鋭利な部分を有する工具の落下等から段差部を含む屋内床材を充分に保護することができる。また、耐久性が高く反復使用できるうえ、最終的に廃却する場合においても、一般廃棄物として安価に焼却処分することができる。従って、養生材が廉価になる。
【００５７】
この段差用養生材は、家屋及び建物の屋内階段等の段差部の保護材として使用して極めて好適である。
【図面の簡単な説明】
【図１】本発明の実施形態としての段差用養生材の一例を示す模式的斜視図である。
【図２】本発明の実施形態としての段差用養生材の他の例を示す正面図である。
【図３】段差用養生材の屋内階段への適用例を示す模式的断面図である。
【図４】段差用養生材の屋内階段への適用例を示す模式的斜視図である。
【図５】段差用養生材の運搬及び収納例を示す模式的断面図である。
【図６】本発明の実施形態としての段差用養生材の材料に好適なダンボール構造の樹脂加工板の例を示す模式的断面図である。
【図７】本発明の実施形態としての段差用養生材の材料に好適なダンボール構造の樹脂加工板の例を示す模式的斜視図である。
【符号の説明】
１・・・段差用養生材、２・・・第１の面ファスナー、３・・・第２の面ファスナー、４・・・屋内階段、５・・・マスキングシート、６・・・粘着テープ、７・・・壁面、１０１，１０２，１０３，１０４・・・ダンボール構造の樹脂加工板
【図１】
2004211333.tif 000003
【図２】
2004211333.tif 000004
【図３】
2004211333.tif 000005
【図４】
2004211333.tif 000006
【図５】
2004211333.tif 000007
【図６】
2004211333.tif 000008
【図７】
2004211333.tif 000009